(57)【要約】【課題】抗菌、防臭、消臭、防蚊、静電気抑制、撥水、及び頭部への栄養補給の各種効果を奏する頭部用装身具を提供する。【解決手段】ヘアバンドは、頭部に装着可能な本体１０と、本体１０に浸透された浸透剤と、を備える。浸透剤は、カチオン界面活性剤、トルアミド系複合化合物、アクリルシリコン系樹脂、第４級アンモニウム塩と界面活性剤、ポリアルキルエーテルとトリプロビレングリコールとフッ素系ポリマー、または、特殊変性シリコンオイルとオレンジラフィオイルと椿油とポリアルキルエーテルである。【選択図】図１
0003213139.tif 000002
【実用新案登録請求の範囲】
【請求項１】
頭部に装着可能な本体と、
上記本体に浸透された浸透剤と、を備え、
上記浸透剤は、カチオン界面活性剤である頭部用装身具。
【請求項２】
頭部に装着可能な本体と、
上記本体に浸透された浸透剤と、を備え、
上記浸透剤は、トルアミド系複合化合物またはアクリルシリコン系樹脂である頭部用装身具。
【請求項３】
頭部に装着可能な本体と、
上記本体に浸透された浸透剤と、を備え、
上記浸透剤は、第４級アンモニウム塩及び界面活性剤である頭部用装身具。
【請求項４】
頭部に装着可能な本体と、
上記本体に浸透された浸透剤と、を備え、
上記浸透剤は、ポリアルキルエーテル、トリプロビレングリコール、及びフッ素系ポリマーである頭部用装身具。
【請求項５】
頭部に装着可能な本体と、
上記本体に浸透された浸透剤と、を備え、
上記浸透剤は、特殊変性シリコンオイル、オレンジラフィオイル、椿油、及びポリアルキルエーテルである頭部用装身具。
【考案の詳細な説明】
【技術分野】
【０００１】
この考案は、頭部につける頭部用装身具に関するものである。
【背景技術】
【０００２】
従来より、頭部を装飾したり、頭髪を束ねたりするための頭部用装身具が知られている。特に、液体が浸透可能な布などで形成された頭部用装身具は、装着時に頭部が傷つく可能性が低いこと、軽量であること、洗濯可能であることなどの理由から、多くの人に利用されている（例えば特許文献１）。
【先行技術文献】
【特許文献】
【０００３】
【特許文献１】特開２０１０−１３１３５４号公報
【考案の概要】
【考案が解決しようとする課題】
【０００４】
近年、染料メーカーにより、抗菌、防臭、消臭、防蚊、静電気抑制、撥水などの各種効果を奏する染料が開発されている。これらの染料が衣服に浸透されることが行われている。これらの染料が浸透された衣服は、上記効果を奏する。
【０００５】
衣服は、人の胸、腹、手、足などを覆うものである。これに対して、頭部用装身具は、頭部につけるものである。頭部は、胸、腹、手、足などとは異なる特徴を有する。例えば、頭部には、胸、腹、手、足などよりも多量の毛が存在する。また、通常、人が外出するとき、胸、腹、手、足などは衣服で覆われることが多いのに対して、頭部用装身具が装着された頭部は外部に露出された状態であることが多い。このような相違から、頭部用装身具には、上記効果が奏されることが特に求められる。
【０００６】
本考案はかかる背景のもとになされたものであって、その目的は、抗菌、防臭、消臭、防蚊、静電気抑制、撥水などの各種効果を奏する頭部用装身具を提供することである。
【課題を解決するための手段】
【０００７】
(1) 本考案に係る頭部用装身具は、頭部に装着可能な本体と、上記本体に浸透された浸透剤と、を備える。上記浸透剤は、カチオン界面活性剤である。
【０００８】
頭部には、胸、腹、手、足などの体の他の部分に比べて、汗やふけなどが多く生じる。そのため、頭部は、胸、腹、手、足などの体の他の部分に比べて、雑菌が繁殖し易く、臭いが生じ易い。カチオン界面活性剤には、抗菌作用、防臭作用、及び消臭作用がある。よって、本構成のような浸透剤が本体に浸透された頭部用装身具は、装着された頭部における雑菌の繁殖や臭いの発生を抑制することができる。
【０００９】
(2) 本考案に係る頭部用装身具は、頭部に装着可能な本体と、上記本体に浸透された浸透剤と、を備える。上記浸透剤は、トルアミド系複合化合物またはアクリルシリコン系樹脂である。
【００１０】
人が外出するとき、胸、腹、手、足などの体の頭部以外の部分は衣服で覆われることが多いのに対して、頭部用装身具が装着された頭部は外部に露出された状態であることが多い。そのため、頭部は、体の他の部分に比べて蚊に刺される可能性が高い。トルアミド系複合化合物やアクリルシリコン系樹脂には、防蚊作用がある。よって、本構成のような浸透剤が本体に浸透された頭部用装身具は、装着された頭部が蚊に刺される可能性を低くすることができる。
【００１１】
(3) 本考案に係る頭部用装身具は、頭部に装着可能な本体と、上記本体に浸透された浸透剤と、を備える。上記浸透剤は、第４級アンモニウム塩及び界面活性剤である。
【００１２】
頭部用装身具の着脱の際に、毛髪との間に静電気が発生すると、髪型が乱れてしまうという体の頭部以外の部分では発生し得ない問題が発生する。第４級アンモニウム塩及び界面活性剤には、静電気抑制作用がある。よって、本構成のような浸透剤が本体に浸透された頭部用装身具は、装着された頭部における静電気の発生を抑制することができる。
【００１３】
(4) 本考案に係る頭部用装身具は、頭部に装着可能な本体と、上記本体に浸透された浸透剤と、を備える。上記浸透剤は、ポリアルキルエーテル、トリプロビレングリコール、及びフッ素系ポリマーである。
【００１４】
頭部には、胸、腹、手、足などの体の他の部分に比べて、汗が多く生じる。よって、頭部用装身具には、汗が染み込みやすい。また、体の最上部に位置する頭部は、雨などに濡れやすい。よって、頭部用装身具には、雨水が染み込みやすい。ポリアルキルエーテル、トリプロビレングリコール、及びフッ素系ポリマーには、撥水作用がある。よって、本構成のような浸透剤が本体に浸透された頭部用装身具には、水分が染み込みにくい。
【００１５】
(5) 本考案に係る頭部用装身具は、頭部に装着可能な本体と、上記本体に浸透された浸透剤と、を備える。上記浸透剤は、特殊変性シリコンオイル、オレンジラフィオイル、椿油、及びポリアルキルエーテルである。
【００１６】
頭部に存在する毛髪は、加齢や体質などによって抜け落ちるおそれがある。そのため、毛髪の抜け落ちを抑制するため、頭部へ栄養補給がなされることが好ましい。頭部へ補給されることが好ましい栄養の一つとして椿油が挙げられる。本構成の浸透剤には、椿油が含まれる。よって、本構成のような浸透剤が本体に浸透された頭部用装身具を頭部に装着することによって、頭部へ栄養を補給することができる。
【考案の効果】
【００１７】
この考案によれば、抗菌、防臭、消臭、防蚊、静電気抑制、撥水、及び頭部への栄養補給の各種効果を奏する。
【図面の簡単な説明】
【００１８】
【図１】図１は、ヘアバンドの本体１０の外観斜視図である。
【図２】図２は、シュシュの本体２０の外観斜視図である。
【考案を実施するための形態】
【００１９】
図１には、頭部用装身具の一例であるヘアバンドの本体１０が示されている。ヘアバンドの本体１０は、環状に構成されている。ヘアバンドの本体１０は、例えば髪の乱れを防止するために頭部に巻かれる。
【００２０】
図２には、頭部用装身具の別の一例であるシュシュの本体２０が示されている。シュシュの本体２０は、環状に構成されている。シュシュの本体２０は、例えば毛髪を束ねるために毛髪に巻かれる。
【００２１】
ヘアバンドの本体１０やシュシュの本体２０は、後述される各種の浸透剤が浸透可能な素材で構成されている。当該素材が伸縮可能でない場合、ヘアバンドの本体１０やシュシュの本体２０の内部に、ゴムなどの伸縮可能な部材が通される。
【００２２】
なお、頭部用装身具は、ヘアバンド及びシュシュに限らない。頭部用装身具として、後述される各種の浸透剤が浸透可能な素材で構成された様々なものが採用され得る。例えば、カーチフ、手絡、根掛、バンダナ、及びリボンなどが頭部用装身具として採用され得る。
【００２３】
上述された各種の頭部用装身具の本体、例えばヘアバンドの本体１０やシュシュの本体２０などには、公知のものが採用される。本考案の特徴点は、以下に説明される各種の浸透剤が、上述された本体に浸透されていることである。
【００２４】
［第１実施例］
【００２５】
第１実施例において、頭部用装身具は、本体と、本体に浸透されたカチオン界面活性剤とを備えている。カチオン界面活性剤が溶解された水溶液に、本体が漬けられる。本体は、温度管理されつつ所定時間漬けられる。カチオン界面活性剤が溶解された水溶液として、例えば日華化学株式会社の「ニッカノン  ＲＢ」が挙げられる。「ニッカノン」は、日華化学株式会社の登録商標である。第１実施例において、本体の素材は、綿またはナイロンが好ましいが、他の素材であってもよい。
【００２６】
［第２実施例］
【００２７】
第２実施例において、頭部用装身具は、本体と、本体に浸透されたトルアミド系複合化合物とを備えている。トルアミド系複合化合物として、例えば大和化学工業株式会社の「アニンセンＣＬＣ−３６００」が挙げられる。「アニンセン」は、大和化学工業株式会社の登録商標である。本体は、「アニンセンＣＬＣ−３６００」などのトルアミド系複合化合物に、温度管理されつつ所定時間漬けられる。第２実施例において、本体の素材は、綿が好ましいが、他の素材であってもよい。
【００２８】
［第３実施例］
【００２９】
第３実施例において、頭部用装身具は、本体と、本体に浸透されたアクリルシリコン系樹脂とを備えている。アクリルシリコン系樹脂の混合物（例えばアクリルシリコン系樹脂が溶解された有機溶剤）に、本体が漬けられる。本体は、温度管理されつつ所定時間漬けられる。アクリルシリコン系樹脂の混合物として、例えば大和化学工業株式会社の「ファイコートＳ−６０ＮＦＳ」が挙げられる。第３実施例において、本体の素材は、綿が好ましいが、他の素材であってもよい。
【００３０】
［第４実施例］
【００３１】
第４実施例において、頭部用装身具は、本体と、本体に浸透された第４級アンモニウム塩及び界面活性剤とを備えている。第４級アンモニウム塩及び界面活性剤が溶解された水溶液に、本体が漬けられる。本体は、温度管理されつつ所定時間漬けられる。第４級アンモニウム塩及び界面活性剤が溶解された水溶液として、例えば大阪ケミカル工業株式会社の「エレキラー  Ｋ−５００」が挙げられる。第４実施例において、本体の素材は、合成繊維が好ましいが、他の素材であってもよい。
【００３２】
［第５実施例］
【００３３】
第５実施例において、頭部用装身具は、本体と、本体に浸透されたポリアルキルエーテル、トリプロビレングリコール、及びフッ素系ポリマーとを備えている。ポリアルキルエーテル、トリプロビレングリコール、及びフッ素系ポリマーが溶解された水溶液に、本体が漬けられる。本体は、温度管理されつつ所定時間漬けられる。ポリアルキルエーテル、トリプロビレングリコール、及びフッ素系ポリマーが溶解された水溶液として、例えば七福化学株式会社の「ジルコセット  ＤＰ−Ｍ８５（Ｋ）」が挙げられる。「ジルコセット  ＤＰ−Ｍ８５（Ｋ）」には、ポリアルキルエーテルが１．５％未満含まれており、トリプロビレングリコールが３％未満含まれており、水が６５％〜６６％含まれている。第５実施例において、本体の素材は、各種繊維が採用される。
【００３４】
［第６実施例］
【００３５】
第６実施例において、頭部用装身具は、本体と、本体に浸透された特殊変性シリコンオイル、オレンジラフィオイル、椿油、及びポリアルキルエーテルとを備えている。特殊変性シリコンオイル、オレンジラフィオイル、椿油、及びポリアルキルエーテルが溶解された水溶液に、本体が漬けられる。本体は、温度管理されつつ所定時間漬けられる。特殊変性シリコンオイル、オレンジラフィオイル、椿油、及びポリアルキルエーテルが溶解された水溶液として、例えば大原パラヂウム化学株式会社の「パラシリコン  ＴＳ−１８」が挙げられる。「パラシリコン  ＴＳ−１８」には、特殊変性シリコンオイルとオレンジラフィオイルと椿油とポリアルキルエーテルとが合わせて２２％〜２４％含まれており、水が７６％〜７８％含まれている。第６実施例において、本体の素材は、各種繊維が採用される。
【００３６】
［第１実施例の効果］
【００３７】
頭部には、胸、腹、手、足などの体の他の部分に比べて、汗やふけなどが多く生じる。そのため、頭部は、胸、腹、手、足などの体の他の部分に比べて、雑菌が繁殖し易く、臭いが生じ易い。カチオン界面活性剤には、抗菌作用、防臭作用、及び消臭作用がある。よって、第１実施例のような浸透剤が本体に浸透された頭部用装身具は、装着された頭部における雑菌の繁殖や臭いの発生を抑制することができる。
【００３８】
［第２実施例及び第３実施例の効果］
【００３９】
人が外出するとき、胸、腹、手、足などの体の頭部以外の部分は衣服で覆われることが多いのに対して、頭部用装身具が装着された頭部は外部に露出された状態であることが多い。そのため、頭部は、体の他の部分に比べて蚊に刺される可能性が高い。トルアミド系複合化合物やアクリルシリコン系樹脂には、防蚊作用がある。よって、第２実施例及び第３実施例のような浸透剤が本体に浸透された頭部用装身具は、装着された頭部が蚊に刺される可能性を低くすることができる。
【００４０】
［第４実施例の効果］
【００４１】
頭部用装身具の着脱の際に、毛髪との間に静電気が発生すると、髪型が乱れてしまうという体の頭部以外の部分では発生し得ない問題が発生する。第４級アンモニウム塩及び界面活性剤には、静電気抑制作用がある。よって、第４実施例のような浸透剤が本体に浸透された頭部用装身具は、装着された頭部における静電気の発生を抑制することができる。
【００４２】
［第５実施例の効果］
【００４３】
頭部には、胸、腹、手、足などの体の他の部分に比べて、汗が多く生じる。よって、頭部用装身具には、汗が染み込みやすい。また、体の最上部に位置する頭部は、雨などに濡れやすい。よって、頭部用装身具には、雨水が染み込みやすい。ポリアルキルエーテル、トリプロビレングリコール、及びフッ素系ポリマーには、撥水作用がある。よって、第５実施例のような浸透剤が本体に浸透された頭部用装身具は、水分の染み込みを抑制することができる。
【００４４】
［第６実施例の効果］
【００４５】
本実施形態では、
頭部に存在する毛髪は、加齢や体質などによって抜け落ちるおそれがある。そのため、毛髪の抜け落ちを抑制するため、頭部へ栄養補給がなされることが好ましい。頭部へ補給されることが好ましい栄養の一つとして椿油が挙げられる。第６実施例の浸透剤には、椿油が含まれる。よって、第６実施例のような浸透剤が本体に浸透された頭部用装身具を頭部に装着することによって、頭部へ栄養を補給することができる。
【００４６】
［変形例］
【００４７】
頭部用装身具は、本体と、上述した第１実施例から第４実施例及び第６実施例で説明された複数の浸透剤とを備えていてもよい。つまり、本体は、第１実施例から第４実施例及び第６実施例で説明された複数の浸透剤に漬けられてもよい。つまり、本体は、第１実施例から第４実施例及び第６実施例で説明された５種類の浸透剤のうちの２種類の浸透剤に漬けられてもよいし、当該５種類の浸透剤のうちの３種類の浸透剤に漬けられてもよいし、当該５種類の浸透剤のうちの４種類の浸透剤に漬けられてもよいし、当該５種類の浸透剤の全てに漬けられてもよい。この際、本体は、所定の順序で各浸透剤に漬けられる。
【００４８】
なお、本体が第５実施例で説明された浸透剤に漬けられる場合、本体は第５実施例以外の実施例で説明された浸透剤には浸透されない。
【符号の説明】
【００４９】
１０・・・ヘアバンドの本体
２０・・・シュシュの本体
【図１】
0003213139.tif 000003
【図２】
0003213139.tif 000004